(57)【要約】      （修正有）【課題】キャリッジの大型化を抑制しつつ、キャリッジの首振り現象を抑制できる記録装置を提供する。【解決手段】記録装置は、記録ヘッドを備え、第１方向及び第２方向に移動するキャリッジ２４と、キャリッジの移動方向に延設された、キャリッジの一部を支持するガイド部材４４ｂと、キャリッジの移動方向と交差する方向においてガイド部材から所定距離離れた位置でキャリッジを牽引する無端ベルトとを備え、キャリッジは箱状を成す本体部２４ｂと、キャリッジの移動方向における本体部の側壁のうち少なくとも第１方向側の側壁２４ｈより第１方向に突出する突出部２４ｊと、ガイド部材と接する面であってキャリッジの移動方向において本体部の第１方向側の側壁の位置より第２方向側の位置から、本体部の第１方向側の側壁の位置より第１方向側の位置であって少なくとも突出部から第１方向側に突出しない位置まで延設される被ガイド面６２とを備える。【選択図】図９
2018134828.tif 000002
【特許請求の範囲】
【請求項１】
媒体に記録を行う記録ヘッドを備えるとともに、第１方向及び当該第１方向とは反対の第２方向に移動するキャリッジと、
前記キャリッジの移動方向に延設された、前記キャリッジの一部を支持するガイド部材と、
前記キャリッジの移動方向と交差する方向において前記ガイド部材から所定距離離れた位置で前記キャリッジの移動方向に前記キャリッジを牽引する無端ベルトと、を備え、
前記キャリッジは、箱状を成す本体部と、
前記キャリッジの移動方向における前記本体部の側壁のうち少なくとも前記第１方向側の側壁より前記第１方向に突出する突出部と、
前記ガイド部材と接する面であって、前記キャリッジの移動方向において前記本体部の前記第１方向側の側壁の位置より前記第２方向側の位置から、前記本体部の前記第１方向側の側壁の位置より前記第１方向側の位置であって少なくとも前記突出部から前記第１方向側に突出しない位置まで延設される被ガイド面と、を備える、
ことを特徴とする記録装置。
【請求項２】
請求項１に記載の記録装置において、前記キャリッジと当接して前記キャリッジの前記第１方向側の移動限度を規定する位置規定部を備え、
前記キャリッジの移動方向において前記被ガイド面の前記第１方向側の端部は、前記位置規定部が前記キャリッジと当接する位置より前記第１方向側に位置する、
ことを特徴とする記録装置。
【請求項３】
請求項２に記載の記録装置において、前記位置規定部は、前記ガイド部材とは別体で構成される、
ことを特徴とする記録装置。
【請求項４】
請求項２または請求項３に記載の記録装置において、前記キャリッジの移動方向と交差する方向において前記無端ベルトが前記キャリッジを牽引する部位と、前記位置規定部が前記キャリッジと当接する部位と、がオーバーラップしている、
ことを特徴とする記録装置。
【請求項５】
請求項１から請求項４のいずれか一項に記載の記録装置において、前記記録ヘッドから吐出する液体を貯留する液体貯留部を備え、
前記キャリッジが移動可能領域における前記第１方向の端部に位置する際、前記液体貯留部の前記第１方向側の端部は、前記キャリッジの前記第１方向側の端部より前記第２方向側に位置する、
ことを特徴とする記録装置。
【発明の詳細な説明】
【技術分野】
【０００１】
本発明は、媒体に記録を行う記録装置に関する。
【背景技術】
【０００２】
以下、記録装置の一例としてのインクジェットプリンターを例に説明する。インクジェットプリンターは、媒体の一例である記録用紙に、液体の一例であるインクを吐出する記録ヘッドを備えている。この記録ヘッドは、当該記録ヘッドの走査方向（以下「主走査方向」と言う）に往復動可能なキャリッジに設けられている。  
このキャリッジは、主走査方向に延びるガイド部材に案内されるとともに、例えば無端ベルトの一部に固定され、当該無端ベルトに牽引されることで主走査方向に往復動する様に構成されている。
【０００３】
キャリッジにおいて無端ベルトによって牽引される位置（無端ベルトが固定される位置）と、キャリッジの重心位置とは通常一致させることはできない為、無端ベルトがキャリッジを牽引する際、キャリッジが回転しようとする現象（”首振り現象”とも呼ばれる）が発生し、インク着弾精度が低下する場合がある。  
尚、首振りの方向にはいくつかあり、用紙搬送方向をｙ方向、記録面に平行な方向であってｙ方向と直交する方向、即ち用紙幅方向（キャリッジの移動方向でもある）をｘ方向、記録面と直交する方向をｚ方向とすれば、ｘ−ｙ平面における首振り、ｘ−ｚ平面における首振り、ｙ−ｚ平面における首振りがある。  
無端ベルトがキャリッジを牽引することに起因する首振りは、専ら上記ｘ−ｙ平面における首振りとなる。
【０００４】
特許文献１には、キャリッジのｘ−ｙ平面における首振りを防止する為に、ガイド部材（ガイド軸）とキャリッジとの間で付勢力を発揮する付勢手段を設け、これによりキャリッジに予め一定方向の回転モーメントを与えておき、キャリッジの移動方向に拘わらず常に一定方向の回転モーメントを生じさせることで首振りを防止する様に構成された記録装置が記載されている。
【先行技術文献】
【特許文献】
【０００５】
【特許文献１】特開２００６−９６０２８号公報
【発明の概要】
【発明が解決しようとする課題】
【０００６】
上記ｘ−ｙ平面におけるキャリッジの首振りは、キャリッジにおいて無端ベルトによって牽引される位置（無端ベルトが固定される位置）と、キャリッジの重心位置との関係のほか、キャリッジがガイド部材と摺動する位置（ガイド部材から反力を受ける位置）も影響する。キャリッジがガイド部材と摺動する位置では、キャリッジがガイド部材から反力を受けるからである。  
キャリッジがガイド部材と摺動する面を被ガイド面とすれば、ｘ方向における前記被ガイド面の両端部の位置が離れる程、首振り抑制には有効となるが、この場合キャリッジがｘ方向に大型化してしまう。
【０００７】
そこで本発明はこの様な状況に鑑み成されたものであり、その目的は、キャリッジの大型化を抑制しつつ、キャリッジの首振り現象を抑制できる記録装置を得ることにある。
【課題を解決するための手段】
【０００８】
上記課題を解決する為の、本発明の第１の態様に係る記録装置は、媒体に記録を行う記録ヘッドを備えるとともに、第１方向及び当該第１方向とは反対の第２方向に移動するキャリッジと、前記キャリッジの移動方向に延設された、前記キャリッジの一部を支持するガイド部材と、前記キャリッジの移動方向と交差する方向において前記ガイド部材から所定距離離れた位置で前記キャリッジの移動方向に前記キャリッジを牽引する無端ベルトと、を備え、前記キャリッジは、箱状を成す本体部と、前記キャリッジの移動方向における前記本体部の側壁のうち少なくとも前記第１方向側の側壁より前記第１方向に突出する突出部と、前記ガイド部材と接する面であって、前記キャリッジの移動方向において前記本体部の前記第１方向側の側壁の位置より前記第２方向側の位置から、前記本体部の前記第１方向側の側壁の位置より前記第１方向側の位置であって少なくとも前記突出部から前記第１方向側に突出しない位置まで延設される被ガイド面と、を備えることを特徴とする。
【０００９】
本態様によれば、キャリッジは、本体部と、当該本体部の側壁から突出する突出部を備えている。突出部は、前記キャリッジの設計上、設置の必要が生じた構成部位である。そして前記キャリッジにおいて前記ガイド面と接する面である被ガイド面は、前記本体部の側壁より外側（前記第１方向側）に突出し、且つ、前記突出部よりは前記第１方向側に突出しない位置まで延設されるので、前記キャリッジの大型化を抑制しつつ、前記キャリッジの首振り現象を最大限抑制できる。
【００１０】
本発明の第２の態様は、第１の態様において、前記キャリッジと当接して前記キャリッジの前記第１方向側の移動限度を規定する位置規定部を備え、前記キャリッジの移動方向において前記被ガイド面の前記第１方向側の端部は、前記位置規定部が前記キャリッジと当接する位置より前記第１方向側に位置することを特徴とする。
【００１１】
本発明の第３の態様は、第２の態様において、前記位置規定部は、前記ガイド部材とは別体で構成されることを特徴とする。  
本態様によれば、前記位置規定部は、前記ガイド部材とは別体で構成されるので、組立の自由度が向上し、特に前記キャリッジを前記ガイド部材に対して組み付ける際の自由度が向上する。
【００１２】
本発明の第４の態様は、第２のまたは第３の態様において、前記キャリッジの移動方向と交差する方向において前記無端ベルトが前記キャリッジを牽引する部位と、前記位置規定部が前記キャリッジと当接する部位と、がオーバーラップしていることを特徴とする。
【００１３】
本態様によれば、前記キャリッジの移動方向と交差する方向において前記無端ベルトが前記キャリッジを牽引する部位と、前記位置規定部が前記キャリッジと当接する部位と、がオーバーラップしているので、前記キャリッジが前記位置規定部に当接した際の前記キャリッジの首振りを抑制できる。
【００１４】
本発明の第５の態様は、第１から第４の態様のいずれかにおいて、前記記録ヘッドから吐出する液体を貯留する液体貯留部を備え、前記キャリッジが移動可能領域における前記第１方向の端部に位置する際、前記液体貯留部の前記第１方向側の端部は、前記キャリッジの前記第１方向側の端部より前記第２方向側に位置することを特徴とする。
【００１５】
本態様によれば、前記キャリッジが移動可能領域における前記第１方向の端部に位置する際、前記液体貯留部の前記第１方向側の端部は、前記キャリッジの前記第１方向側の端部より前記第２方向側に位置する、即ち、前記液体貯留部が前記キャリッジの移動領域内に収められているので、前記液体貯留部の設置に伴う装置の大型化を抑制できる。
【図面の簡単な説明】
【００１６】
【図１】本実施例に係るプリンターの外観斜視図。
【図２】図１のＡ−Ａ断面線における断面図。
【図３】本実施例に係るプリンターの装置本体の平面図。
【図４】ガイド部材に取り付けられた位置規定部材の位置規定部に当接した状態のキャリッジの外観斜視図。
【図５】位置規定部材の外観斜視図。
【図６】ガイド部材とキャリッジとの関係を示す斜視図。
【図７】位置規定部に対してキャリッジが当接した状態を示す斜視図。
【図８】キャリッジの背面側端部に設けられた被ガイド部を示す図。
【図９】キャリッジにおいて被ガイド部とガイド部材との関係を示す図。
【図１０】装置本体におけるインクタンクの構成を示す斜視図。
【図１１】キャリッジが位置規定部に当接した状態におけるキャリッジの端部とインクタンクの端部との関係を示す図。
【発明を実施するための形態】
【００１７】
以下、本発明の実施の形態を図面に基づいて説明する。尚、各実施例において同一の構成については、同一の符号を付し、最初の実施例においてのみ説明し、以後の実施例においてはその構成の説明を省略する。
【００１８】
図１は本実施例に係るプリンターの外観斜視図であり、図２は図１のＡ−Ａ断面線における断面図であり、図３は本実施例に係るプリンターの装置本体の平面図であり、図４はガイド部材に取り付けられた位置規定部材の位置規定部に当接した状態のキャリッジの外観斜視図であり、図５は位置規定部材の外観斜視図である。
【００１９】
図６はガイド部材とキャリッジとの関係を示す斜視図であり、図７は位置規定部に対してキャリッジが当接した状態を示す斜視図であり、図８はキャリッジの背面側端部に設けられた被ガイド部を示す図であり、図９はキャリッジにおいて被ガイド部とガイド部材との関係を示す図であり、図１０は装置本体におけるインクタンクの構成を示す斜視図であり、図１１はキャリッジが位置規定部に当接した状態におけるキャリッジの端部とインクタンクの端部との関係を示す図である。
【００２０】
また、各図において示すＸ−Ｙ−Ｚ座標系はＸ方向が記録媒体の幅方向、すなわち装置幅方向を示し、Ｙ方向が記録装置内の搬送経路における記録媒体の搬送方向、すなわち装置奥行き方向を示し、Ｚ方向が装置高さ方向を示している。
【００２１】
■■■第１の実施例■■■■
＜＜＜プリンターの概要＞＞＞
図１を参照して、プリンター１０の全体構成について説明する。プリンター１０は、記録装置の一例として、インクジェットプリンターとして構成されている。プリンター１０は、装置本体１２と、スキャナーユニット１４とを備える複合機として構成されている。
【００２２】
本実施例において、スキャナーユニット１４は、装置本体１２の装置奥行き方向背面側端部に回動可能に接続されており、図示しないがスキャナーユニット１４を装置背面側に回動させることで、装置本体１２の上部を露呈させるように構成されている。また、スキャナーユニット１４の上部にはカバー１６がスキャナーユニット１４に対して回動可能に取り付けられている。そして、カバー１６をスキャナーユニット１４に回動させることで、スキャナーユニット１４に設けられた原稿載置面（不図示）を露出させることができ、原稿載置面に原稿をセットすることができる。
【００２３】
また、プリンター１０の装置奥行き方向背面側端部には給送口カバー１８が装置本体１２に対して回動可能に設けられている。給送口カバー１８は、閉じた状態（図１参照）と開いた状態（不図示）とを取り得る。給送口カバー１８を開いた状態とすることで、装置本体１２内部への媒体Ｐの供給が可能となる。また、給送口カバー１８が閉じた状態では、スキャナーユニット１４のカバー１６と面一となるように構成されている。これにより、プリンター１０の天面をフラットにすることができ、デザイン性に優れたものとなる。
【００２４】
次に、装置本体１２の構成について説明する。装置本体１２の装置奥行き方向前面側には、装置本体１２に対して回動可能な操作パネル２０が設けられている。操作パネル２０には、表示パネル等の表示部及び複数の操作ボタンが設けられている。また、操作パネル２０は、装置本体１２に対して閉じた状態（図１参照）と、装置本体１２に対して開いた状態（不図示）とを切換可能である。
【００２５】
さらに、装置本体１２の装置奥行き方向前面側において、操作パネル２０の装置高さ方向下方には排出口２２が設けられている。また、装置本体１２において操作パネル２０の装置奥行き方向背面側には、キャリッジ２４（二点鎖線部参照）が設けられている。キャリッジ２４は、装置本体１２内において装置幅方向に往復動可能に構成されている。そして、キャリッジ２４の下部には記録ヘッド２６が設けられている。
【００２６】
そして、記録ヘッド２６の下面には、複数のインク吐出ノズル（不図示）が形成されている。記録ヘッド２６の下方側において記録ヘッド２６と対向する領域に媒体Ｐが搬送されると、インク吐出ノズルからインクを吐出して媒体に記録を行う。
【００２７】
＜＜＜媒体の搬送経路について＞＞＞
さらに図２を参照して、媒体Ｐの搬送経路について説明する。装置本体１２の背面側には、給送口（不図示）から供給された媒体Ｐを傾斜姿勢で支持する媒体支持部２８が設けられている。また、媒体Ｐの搬送方向下流側には、給送ローラー３０及び分離ローラー３２が設けられている。そして、本実施例において媒体支持部２８は給送ローラー３０に接する方向に揺動可能に構成され、媒体Ｐを給送する際、給送ローラー３０に接近する方向に揺動し、媒体Ｐを給送しない状態、すなわち待機状態では給送ローラー３０から離間した位置（図２参照）に位置している。
【００２８】
給送ローラー３０は、装置本体１２内に設けられた駆動源（不図示）からの駆動力を受けて、回転駆動するように構成されている。また、装置高さ方向において給送ローラー３０の下方側には分離ローラー３２が配置されている。また、本実施例では、分離ローラー３２にトルクリミッタ３４が取り付けられている。トルクリミッタ３４は、分離ローラー３２に所定の回転抵抗を与えている。ここで、給送ローラー３０から受ける回転トルクがトルクリミッタ３４のリミットトルクを超えると、分離ローラー３２は給送ローラー３０に従動して回転する（図２において反時計回り方向）。
【００２９】
そして、図２に示すように媒体支持部２８に支持された媒体Ｐは、給送ローラー３０と分離ローラー３２とにニップされて、媒体給送方向下流側に設けられた搬送ローラー対３６に向けて搬送される。搬送ローラー対３６は、搬送駆動ローラー３６ａと、搬送従動ローラー３６ｂとを備えている。本実施例において、搬送駆動ローラー３６ａは、不図示の駆動源により回転駆動させられる。また、搬送従動ローラー３６ｂは、搬送駆動ローラー３６ａに対して従動回転するように構成されている。
【００３０】
そして、搬送ローラー対３６は、媒体Ｐを給送方向下流側の記録ヘッド２６と対向する領域に送る。記録ヘッド２６と対向する領域に送られた媒体Ｐは、記録ヘッド２６により記録が行われた後、排出口２２より装置前面側に排出される。尚、図２において符号Ｐ１が付された一点鎖線は、装置本体１２内において媒体支持部２８から給送方向下流側に送り出された媒体Ｐの経路を示している。
【００３１】
また、媒体Ｐの両面に記録を行う場合には、媒体支持部２８から記録ヘッド２６に対向する領域に媒体Ｐを送り、媒体Ｐの第１面に記録を行った後、搬送駆動ローラー３６ａを逆回転させて、媒体Ｐの後端を先頭にして反転ローラー３８に向けて搬送する。
【００３２】
符号Ｐ２が付された二点鎖線に示すように、反転ローラー３８に向けて搬送された媒体Ｐは、反転ローラー３８と、その周囲に配置された従動ローラー４０、４２に順次ニップされて搬送される。そして、媒体Ｐは、反転ローラー３８に反転させられて、再度搬送ローラー対３６に向けて送られる。そして、媒体Ｐは、搬送ローラー対３６により記録ヘッド２６と対向する領域に送られ、記録ヘッド２６により媒体Ｐの第２面（第１面と反対側の面）に記録が行われた後、排出口２２（図１参照）より装置奥行き方向前面側に排出される。尚、図２における二点鎖線Ｐ２は、反転ローラー３８に沿って搬送される媒体Ｐの反転経路を示している。
【００３３】
＜＜＜キャリッジの駆動について＞＞＞
次に、図２に加えて図３及び図４を参照するに、キャリッジ２４の装置背面側には、装置幅方向、すなわちキャリッジ２４の移動方向に延びるガイド部材４４が設けられている。ガイド部材４４は、図６に示すように装置奥行き方向前面側端部において装置高さ方向下方側に突出する第１ガイド部４４ａと、装置奥行き方向前面側端部において装置高さ方向上方側に突出する、「ガイド面」としての第２ガイド部４４ｂとを備えている。そして、第１ガイド部４４ａ及び第２ガイド部４４ｂは、装置幅方向に沿って延びている。
【００３４】
そして、図３に示すように、ガイド部材４４において「第１方向」としての装置幅方向右方端部の背面側には、キャリッジ駆動モーター４６が設けられている。一例として、キャリッジ駆動モーター４６の駆動軸には駆動プーリー（不図示）が取り付けられている。そして、ガイド部材４４において「第２方向」としての装置幅方向左方端部には、従動プーリー４８が回転自在に取り付けられている。
【００３５】
本実施例では、装置幅方向において駆動プーリー（不図示）と従動プーリー４８との間には、無端ベルト５０（図３及び図４参照）が掛け回されている。そして、キャリッジ駆動モーター４６が回転駆動すると、無端ベルト５０は駆動プーリー（不図示）を介してキャリッジ駆動モーター４６の回転方向に回転駆動させられる。そして、無端ベルト５０の一部は、キャリッジ２４の背面側に設けられたベルト把持部２４ａ（図７及び図９参照）に把持されている。そして、無端ベルト５０がキャリッジ駆動モーター４６により回転駆動させられることで、キャリッジ２４は無端ベルト５０により第１方向である装置幅方向右方、あるいは第２方向である装置幅方向左方に移動させられる。
【００３６】
ここで、図４に示すように、ガイド部材４４の装置幅方向右方側端部には位置規定部材５２が固定手段５４により着脱可能に取り付けられている。尚、本実施例において固定手段５４はネジ部材として構成されている。そして、位置規定部材５２は、キャリッジ２４と当接する部位、すなわち位置規定部５２ａ（図５参照）を備えている。キャリッジ２４が装置幅方向右方側端部まで移動すると、キャリッジ２４は、位置規定部材５２の位置規定部５２ａと接触して、装置幅方向右方（第１方向）への移動を規制される。尚、本実施例では図３及び図４に示すようにキャリッジ２４の移動領域において装置幅方向右方端部をキャリッジ２４のホームポジションとしている。
【００３７】
また、位置規定部材５２は、ガイド部材４４に対して固定手段５４を締める、或いは緩めるだけでガイド部材４４に対して着脱することができ、位置規定部材５２の着脱を容易にすることができる。これにより、位置規定部材５２をガイド部材４４から取り外すことにより、キャリッジ２４をガイド部材４４の装置幅方向右方側端部から引き抜くことができ、キャリッジ２４のメンテナンスをより容易に行うことができる。
【００３８】
＜＜＜キャリッジの構成について＞＞＞
次いで、図４ないし図９を参照してキャリッジ２４の構成について説明する。図４に示すようにキャリッジ２４は、箱状をなす本体部２４ｂ（図６及び図７参照）と、本体部２４ｂの上部を覆うカバー部２４ｃとを備えている。
【００３９】
また、図７を参照するに、本体部２４ｂの装置奥行き方向背面側端部の上部には、第１被ガイド部２４ｄが設けられている。第１被ガイド部２４ｄは、図６に示すようにキャリッジ２４をガイド部材４４に取り付けた状態で、ガイド部材４４の第１ガイド部４４ａの装置奥行き方向背面側と接触している。
【００４０】
また、再度図４を参照するに、本体部２４ｂの上部においてカバー部２４ｃの装置奥行き方向背面側には、保持部材５６が取り付けられている。保持部材５６には付勢部材５８の一端が接続されている。また、付勢部材５８の他端には押圧部材６０が接続されている。尚、本実施例において、付勢部材５８はコイルばねとして構成されている。そして、付勢部材５８は押圧部材６０を第１ガイド部４４ａに向けて付勢している。したがって、装置奥行き方向において第１ガイド部４４ａは、押圧部材６０と第１被ガイド部２４ｄにより挟み込まれている。
【００４１】
その結果、第１ガイド部４４ａは付勢部材５８の付勢力により第１被ガイド部２４ｄに押し付けられた状態となるので、キャリッジ２４を装置幅方向に移動させる際、第１被ガイド部２４ｄが第１ガイド部４４ａに倣い、キャリッジ２４の姿勢の変動を抑制できる。
【００４２】
また、図７を参照するに、本体部２４ｂの装置奥行き方向背面側において第１被ガイド部２４ｄの装置高さ方向下方側には、ベルト把持部２４ａが設けられている。図７では、無端ベルト５０（図３及び図４参照）の図示を省略しているが、ベルト把持部２４ａには無端ベルト５０の一部が把持されている。
【００４３】
さらに、本体部２４ｂの装置奥行き方向背面側においてベルト把持部２４ａの装置高さ方向下方側には、第２被ガイド部２４ｅが設けられている。そして、図４、図６及び図７を参照するに、第２被ガイド部２４ｅの装置幅方向右方端部（第１方向側）には当接面２４ｆが設けられている。キャリッジ２４が装置幅方向右方（第１方向）に移動した際、当接面２４ｆが位置規定部材５２の位置規定部５２ａに当接することで、キャリッジ２４の装置幅方向右方（第１方向）における移動限度が規定される。
【００４４】
さらに、図８を参照するに、第２被ガイド部２４ｅの装置奥行き方向背面側端部には、装置幅方向に間隔をおいて、「被ガイド面」としての第１被ガイド面６２と、第２被ガイド面６４とが設けられている。第１被ガイド面６２は、キャリッジ２４の装置幅方向右方側端部に設けられている。また、第２被ガイド面６４はキャリッジ２４の装置幅方向左方側端部に設けられている。
【００４５】
また、図９を参照するに、第１被ガイド面６２及び第２被ガイド面６４は、装置幅方向に延びる第２ガイド部４４ｂの装置奥行き方向前面と当接している。また、第２ガイド部４４ｂの装置奥行き方向背面には、装置幅方向に延びるスライダ部材６６が配置されている。スライダ部材６６の装置幅方向右方側端部には押圧部６６ａが設けられ、装置幅方向左方側端部には押圧部６６ｂが設けられている。
【００４６】
また、キャリッジ２４において押圧部６６ａ、６６ｂの装置奥行き方向背面側には付勢部材支持部２４ｇが設けられている。そして、押圧部６６ａと付勢部材支持部２４ｇとの間、押圧部６６ｂと付勢部材支持部２４ｇとの間にはそれぞれ付勢部材６８が設けられている。
【００４７】
付勢部材６８は、押圧部６６ａ、６６ｂを装置奥行き方向前面側に付勢している。本実施例では、付勢部材６８は、一例としてコイルばねとして構成されている。尚、本実施例において押圧部６６ａを付勢する付勢部材６８の付勢力と、押圧部６６ｂを付勢する付勢部材６８の付勢力とは、略同じ大きさに設定されている。これにより、スライダ部材６６の押圧部６６ａ及び押圧部６６ｂにおける偏摩耗を抑制できる。
【００４８】
そして、押圧部６６ａ、６６ｂは第２ガイド部４４ｂの背面と接触して、第２ガイド部４４ｂを第１被ガイド面６２及び第２被ガイド面６４に向けて付勢する。すなわち、第２ガイド部４４ｂは、装置奥行き方向において第１被ガイド面６２及び第２被ガイド面６４と、スライダ部材６６とに挟み込まれている。その結果、第２ガイド部４４ｂは付勢部材６８の付勢力により第１被ガイド面６２及び第２被ガイド面６４に押し付けられた状態となるので、キャリッジ２４を装置幅方向に移動させる際、第１被ガイド面６２及び第２被ガイド面６４が第２ガイド部４４ｂに倣い、キャリッジ２４の姿勢の変動を抑制できる。
【００４９】
ここで、図８及び図９を参照するに、キャリッジ２４がキャリッジ２４の移動領域において装置幅方向右方端部に位置する状態（ホームポジションに位置する状態）において、キャリッジ２４の本体部２４ｂの装置幅方向右方側（第１方向）の側壁２４ｈの装置幅方向の位置をＸ１（図８及び図９参照）とし、カバー部２４ｃにおいて側壁２４ｈよりも装置幅方向右方側（第１方向）に突出する突出部２４ｊの装置幅方向における位置をＸ２（図９参照）とし、第１被ガイド面６２の装置幅方向右方端部の位置をＸ３（図８及び図９参照）とし、第１被ガイド面６２の装置幅方向左方端部の位置をＸ４（図８及び図９参照）とし、位置規定部材５２の位置規定部５２ａと当接する当接面２４ｆの装置幅方向における位置をＸ５（図９参照）とする。
【００５０】
そして、第１被ガイド面６２の装置幅方向右方端部の位置Ｘ３は、側壁２４ｈの位置Ｘ１よりも装置幅方向右方（第１方向側）に位置しているが、突出部２４ｊの位置Ｘ２よりは装置幅方向左方（第２方向側）に位置している。したがって、第１被ガイド面６２は装置幅方向において側壁２４ｈの位置Ｘ１よりも装置幅方向左方（第２方向）の位置から、位置Ｘ１より装置幅方向右方（第１方向）であって突出部２４ｊよりも装置幅方向右方に突出しない位置まで延設されているといえる。
【００５１】
また、図９に示すようにキャリッジ２４がキャリッジ２４の移動領域において装置幅方向右方端部（ホームポジション）に位置する状態において、第１被ガイド面６２の装置幅方向右方端部の位置Ｘ３は当接面２４ｆの装置幅方向における位置Ｘ５よりも装置幅方向右方（第１方向）に位置している。
【００５２】
また、本実施例において、第２被ガイド面６４は、一例として、キャリッジ２４の装置幅方向左方側の側壁２４ｋよりもキャリッジ２４の内側に位置している。また、図９において、当接面２４ｆ（位置規定部５２ａがキャリッジ２４と当接する部位）は、装置奥行き方向、すなわちキャリッジ２４の移動方向と交差する方向においてベルト把持部２４ａ（無端ベルト５０がキャリッジ２４を牽引する部位）とオーバーラップするように構成されている。
【００５３】
また、図９において符号Ｇが付されている黒点は、キャリッジ２４の重心の位置を示している。また、符号Ｗが付されている黒点は、ベルト把持部２４ａにおけるベルト固定位置を示している。そして、重心Ｇとベルト固定位置Ｗとの間の距離、すなわち重心オフセット距離をＬ１とする。一方、装置幅方向において第１被ガイド面６２の装置幅方向右方端部の位置Ｘ３から第２被ガイド面６４の装置幅方向左方端部までの距離、すなわちガイドスパンをＬ２とする。
【００５４】
ここで、例えば、キャリッジ２４を装置幅方向に移動させた場合、キャリッジ２４のベルト把持部２４ａ、すなわちベルト固定位置Ｗにキャリッジ２４を牽引する力が作用する。そして、力が作用するベルト固定位置Ｗは、重心Ｇから距離Ｌ１分離れているので、キャリッジ２４には重心Ｇを中心とした回転モーメントが生じる。同様に、第１被ガイド面６２及び第２被ガイド面６４と第２ガイド部４４ｂとの間にも摩擦力が生じ、当該摩擦力はキャリッジ２４に重心Ｇを中心とした回転モーメントを生じさせる。
【００５５】
一方で、キャリッジ２４の背面側において第１被ガイド面６２及び第２被ガイド面６４が第２ガイド部４４ｂと当接している。そして、第１被ガイド面６２及び第２被ガイド面６４が第２ガイド部４４ｂと当接することにより、キャリッジ２４の重心Ｇまわりの回転を妨げるように機能する。
【００５６】
そして、キャリッジ２４の回転モーメントの大きさは、重心オフセット距離Ｌ１をガイドスパンＬ２で除した値に比例する。ここで、本実施例では、第１被ガイド面６２を本体部２４ｂの装置幅方向右方側の側壁２４ｈよりも装置幅方向右方側（第１方向）、つまり側壁２４ｈよりも外側の位置まで延設している。その結果、例えば、第１被ガイド面６２を側壁２４ｈよりも装置幅方向左方側（第２方向）、つまり側壁２４ｈより内側の位置に設けた場合よりもガイドスパンＬ２を長くすることができる。
【００５７】
その結果、重心オフセット距離Ｌ１に対してガイドスパンＬ２が長くなることにより、キャリッジ２４に作用する回転モーメントを小さくできる。これにより、キャリッジ２４における重心Ｇまわりの首振り（例えば、図９における重心Ｇを中心とした時計回り方向、或いは反時計回り方向の回転）を抑制できる。そして、キャリッジ２４を大型化することなく、キャリッジ２４の姿勢精度を向上させることができる。
【００５８】
また、ガイドスパンＬ２が長くなることにより回転モーメントが小さくなるので、第２ガイド部４４ｂを第１被ガイド面６２及び第２被ガイド面６４に押し付ける付勢部材６８の付勢力を小さくできる。その結果、キャリッジ２４を装置幅方向に移動させる際の摩擦抵抗を低減できるので、プリンター１０の省電力化を図ることができる。
【００５９】
また、本実施例では、本体部２４ｂの幅（装置幅方向における側壁２４ｈと側壁２４ｋとの間の距離）を広くせず、第２被ガイド部２４ｅの装置幅方向における幅を広くし、ガイドスパンＬ２を長くする構成としたので、キャリッジ２４、ひいてはプリンター１０の大型化を抑制できる。
【００６０】
＜＜＜キャリッジとインクタンク収容部との関係＞＞＞
また、図３及び図１０を参照するに、装置奥行き方向においてキャリッジ２４の移動領域の前面側には、「液体貯留部」としてのインクタンク収容部７０が設けられている。インクタンク収容部７０は、一例として装置本体１２の装置幅方向において右方側端部に設けられている。本実施例において、インクタンク収容部７０には、複数のインクタンク７２が配置されている。インクタンク７２には、「液体」としてのインクが収容されている。
【００６１】
本実施例では、インクタンク収容部７０には、４つのインクタンク７２Ａ、７２Ｂ、７２Ｃ、７２Ｄが配置されている。そして、各インクタンク７２にはブラック、マゼンタ、イエロー、シアンのインクがそれぞれ収容されている。
【００６２】
また、図１０を参照するに、本体部２４ｂ内には複数の中継部７４が格納されている。そして、各インクタンク７２の装置奥行き方向背面側からインクチューブ７６が延出し、中継部７４に接続されている。尚、図１０においてカバー部２４ｃ及びインクチューブ７６の図示を一部省略している。
【００６３】
また、図１０及び図１１を参照するに、インクタンク収容部７０において最も外側、すなわち装置幅方向右端部に位置するインクタンク７２Ｄの装置幅方向右方側の側壁を７０ａとする。一方で、キャリッジ２４において本体部２４ｂとカバー部２４ｃとを接続する接続部２４ｍがキャリッジ２４の装置幅方向右側端部に設けられている。
【００６４】
そして、図１１を参照するに、キャリッジ２４が装置幅方向右端部（ホームポジション）に位置する状態において、キャリッジ２４の接続部２４ｍの装置幅方向における位置をＸ６とし、インクタンク収容部７０の装置幅方向右方側の側壁７０ａの位置をＸ７とすると、インクタンク収容部７０の側壁７０ａの位置Ｘ７は、キャリッジ２４の接続部２４ｍの位置Ｘ６よりも装置幅方向左方（第２方向）に位置している。つまり、インクタンク収容部７０は、装置幅方向においてキャリッジ２４の移動領域内に納められているので、プリンター１０の大型化を抑制できる。
【００６５】
＜＜＜実施例の変更例＞＞＞
（１）本実施例では、２つの付勢部材６８の付勢力を略同じ大きさとしたが、この構成に代えて、２つの付勢部材６８の付勢力を異なる大きさとしてもよい。
（２）また、本実施例では、第２被ガイド面６４をキャリッジ２４の装置幅方向左方側の側壁２４ｋよりも内側に配置する構成としたが、この構成に代えて、第２被ガイド面６４を側壁２４ｋよりも内側の位置から外側の位置まで延設するように構成してもよい。これにより、更にガイドスパンＬ２を長くでき、重心Ｇまわりの回転モーメントをより小さくできる。
（３）本実施例では、キャリッジ２４の本体部２４ｂの上部に保持部材５６、付勢部材５８及び押圧部材６０を設ける構成としたが、キャリッジ２４において保持部材５６、付勢部材５８及び押圧部材６０を設けない構成としてもよい。
【００６６】
上記説明をまとめるとプリンター１０は、媒体Ｐに記録を行う記録ヘッド２６を備えるとともに、第１方向である装置幅方向右方及び当該第１方向である装置幅方向右方とは反対の第２方向である装置幅方向左方に移動するキャリッジ２４と、キャリッジ２４の移動方向である装置幅方向に延設された、キャリッジ２４の一部を支持するガイド部材４４と、キャリッジ２４の移動方向である装置幅方向と交差する方向である装置奥行き方向においてガイド部材４４から所定距離離れた位置でキャリッジ２４の移動方向である装置幅方向にキャリッジ２４を牽引する無端ベルト５０と、を備え、キャリッジ２４は、箱状を成す本体部２４ｂと、キャリッジ２４の移動方向である装置幅方向における本体部２４ｂの側壁のうち少なくとも第１方向側である装置幅方向右方側の側壁２４ｈより第１方向である装置幅方向右方に突出する突出部２４ｊと、ガイド部材４４と接する面であって、キャリッジ２４の移動方向である装置幅方向において本体部２４ｂの第１方向側である装置幅方向右方の側壁２４ｈの位置より第２方向側である装置幅方向左方側の位置から、本体部２４ｂの第１方向側である装置幅方向右方側の側壁２４ｈの位置より第１方向側である装置幅方向右方側の位置であって少なくとも突出部２４ｊから第１方向側である装置幅方向右方側に突出しない位置まで延設される第１被ガイド面６２と、を備える。
【００６７】
上記構成によれば、キャリッジ２４は、本体部２４ｂと、当該本体部２４ｂの側壁２４ｈから突出する突出部２４ｊを備えている。突出部２４ｊは、キャリッジ２４の設計上、設置の必要が生じた構成部位である。そしてキャリッジ２４において第２ガイド部４４ｂと接する面である第１被ガイド面６２は、本体部２４ｂの側壁２４ｈより外側（第１方向側）に突出し、且つ、突出部２４ｊよりは第１方向側である装置幅方向右方に突出しない位置まで延設されるので、キャリッジ２４の大型化を抑制しつつ、キャリッジ２４の首振り現象を最大限抑制できる。
【００６８】
キャリッジ２４と当接してキャリッジ２４の第１方向側である装置幅方向右方の移動限度を規定する位置規定部５２ａを備え、キャリッジ２４の移動方向である装置幅方向において第１被ガイド面６２の第１方向側である装置幅方向右方側の端部は、位置規定部５２ａがキャリッジ２４と当接する位置より第１方向側である装置幅方向右方に位置する。
【００６９】
位置規定部５２ａすなわち位置規定部材５２は、ガイド部材４４とは別体で構成される。この構成によれば、組立の自由度が向上し、特にキャリッジ２４をガイド部材４４に対して組み付ける際の自由度が向上する。
【００７０】
キャリッジ２４の移動方向である装置幅方向と交差する方向である装置奥行き方向において無端ベルト５０がキャリッジ２４を牽引する部位であるベルト把持部２４ａと、位置規定部５２ａがキャリッジ２４と当接する部位である当接面２４ｆと、がオーバーラップしている。この構成によれば、キャリッジ２４が位置規定部５２ａに当接した際のキャリッジ２４の首振りを抑制できる。
【００７１】
記録ヘッド２６から吐出するインクを貯留するインクタンク収容部７０を備え、キャリッジ２４が移動可能領域における第１方向である装置幅方向右方の端部に位置する際、インクタンク収容部７０の第１方向側である装置幅方向右方の端部である側壁７０ａは、キャリッジ２４の第１方向側である装置幅方向右方の端部である接続部２４ｍより第２方向側である装置幅方向左方に位置する。この構成によれば、インクタンク収容部７０がキャリッジ２４の移動領域内に収められているので、インクタンク収容部７０の設置に伴う装置の大型化を抑制できる。
【００７２】
また、本実施形態では本発明に係る第１被ガイド面６２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７５】
１０…プリンター、１２…装置本体、１４…スキャナーユニット、１６…カバー、１８…給送口カバー、２０…操作パネル、２２…排出口、２４…キャリッジ、２４ａ…ベルト把持部、２４ｂ…本体部、２４ｃ…カバー部、２４ｄ…第１被ガイド部、２４ｅ…第２被ガイド部、２４ｆ…当接面、２４ｇ…付勢部材支持部、２４ｈ、２４ｋ…側壁、２４ｊ…突出部、２４ｍ…接続部、２６…記録ヘッド、２８…媒体支持部、３０…給送ローラー、３２…分離ローラー、３４…トルクリミッタ、３６……搬送ローラー対、３６ａ…搬送駆動ローラー、３６ｂ…搬送従動ローラー、３８…反転ローラー、４０、４２…従動ローラー、４４…ガイド部材、４４ａ…第１ガイド部、４４ｂ…第２ガイド部、４６…キャリッジ駆動モーター、４８…従動プーリー、５０…無端ベルト、５２…位置規定部材、５２ａ…位置規定部、５４…固定手段、５６…保持部材、５８、６８…付勢部材、６０…押圧部材、６２…第１被ガイド面、６４…第２被ガイド面、６６…スライダ部材、６６ａ、６６ｂ…押圧部、７０…インクタンク収容部、７０ａ…側壁、７２、７２Ａ、７２Ｂ、７２Ｃ、７２Ｄ…インクタンク、７４…中継部、７６…インクチューブ、Ｇ…重心、Ｌ１…重心オフセット距離、Ｌ２…ガイドスパン、Ｐ…媒体、Ｐ２…二点鎖線、Ｘ１、Ｘ２、Ｘ３、Ｘ４、Ｘ５、Ｘ６、Ｘ７…位置、Ｗ…ベルト固定位置
【図１】
2018134828.tif 000003
【図２】
2018134828.tif 000004
【図３】
2018134828.tif 000005
【図４】
2018134828.tif 000006
【図５】
2018134828.tif 000007
【図６】
2018134828.tif 000008
【図７】
2018134828.tif 000009
【図８】
2018134828.tif 000010
【図９】
2018134828.tif 000011
【図１０】
2018134828.tif 000012
【図１１】
2018134828.tif 000013